(57)【要約】【課題】容易に焦点を合わせることができ、鮮明な画像を得ることができるとともに、手ぶれを防止して容易に撮影することができる携帯端末を提供することを目的とする。【解決手段】筐体に、被写体に対して焦点が合うように筐体を保持する突起部７を設けた。【選択図】    図１
2004271978.tif 000002
【特許請求の範囲】
【請求項１】
筐体に画像を表示する表示部を設けるとともに、前記筐体に被写体に近接して撮像可能な撮像装置を備えた携帯端末において、前記筐体の前記表示部が設けられた面に、前記撮像装置に対して前記被写体の焦点が合うように前記筐体を保持する突起部を設けたことを特徴とする携帯端末。
【請求項２】
撮像を行う際には、前記表示部を点灯させた状態に制御する制御部を設けたことを特徴とする請求項１に記載の携帯端末。
【発明の詳細な説明】
【０００１】
【発明の属する技術分野】
本発明は、携帯端末に係り、特に撮像装置と被写体とを近接させて撮像することが可能な携帯端末に関する。
【０００２】
【従来の技術】
従来、情報通信機能や個人情報管理機能を有するＰＤＡ（Ｐｅｒｓｏｎａｌ  Ｄｉｇｉｔａｌ  Ａｓｓｉｓｔａｎｃｅ）、携帯電話機、ＰＨＳ（Ｐｅｒｓｏｎａｌ  Ｈａｎｄｙｐｈｏｎｅ  Ｓｙｓｔｅｍ）等の携帯型情報通信端末装置（以下、「携帯端末」という）にカメラ等の撮像装置を備える撮像装置付き携帯端末が使用されている。この撮像装置付き携帯端末においては、近年、例えば、所定の被写体を撮像する通常撮像モードと、撮像装置と近接させて被写体を撮像する近接撮像モードとを切り替えて撮像可能な携帯端末が提案されている（例えば、特許文献１参照）。
【０００３】
この携帯端末が備える撮像装置においては、撮像装置を構成するレンズ部の特性、撮像側の焦点距離等により、物体側の焦点距離がある程度定まっている。
【０００４】
【特許文献１】
特開２００２−２６２１６４号公報
【０００５】
【発明が解決しようとする課題】
従来の携帯端末では（特許文献１）、撮像を行う際には、ユーザが、必要に応じて被写体と撮像装置との距離を調整することにより焦点を合わせていた。
【０００６】
しかしながら、特に被写体と撮像装置とを近接させて撮像を行う場合は、被写体と撮像装置との距離の誤差による焦点のずれが生じやすく、焦点を合わせるのが困難であるため、鮮明な画像が得られないという問題があった。
【０００７】
また、従来の携帯端末（特許文献１）では、ユーザが携帯端末を支持して撮像を行っているが、被写体と撮像装置とを近接させて撮像を行う場合、手ぶれによる影響が顕著であり、撮像可能な範囲で被写体に対して撮像装置を向けることが困難であった。
【０００８】
そこで、本発明は、容易に焦点を合わせることができ、鮮明な画像を得ることができるとともに、手ぶれを防止して容易に撮影することができる携帯端末を提供することを目的とする。
【０００９】
【課題を解決するための手段】
上記課題を解決するために本発明による携帯端末は、筐体に画像を表示する表示部を設けるとともに、前記筐体に被写体に近接して撮像可能な撮像装置を備えた携帯端末において、前記筐体の前記表示部が設けられた面に、前記撮像装置に対して前記被写体の焦点が合うように前記筐体を保持する突起部を設けたことを特徴とする。
【００１０】
請求項１に記載の発明によれば、突起部で筐体を保持させて撮像することにより、必ず焦点が合った状態で撮像が行われる。また、突起部で筐体を保持させて撮像するため、手ぶれが生じない。
【００１１】
請求項２に記載の発明は、請求項１に記載の携帯端末において、撮像を行う際には、前記表示部を点灯させた状態に制御する制御部を設けたことを特徴とする。
【００１２】
請求項２に記載の発明によれば、被写体に表示部から光が照射された状態で撮像が行われる。
【００１３】
【発明の実施の形態】
以下、図１から図６を参照して本発明を適用した携帯端末の例として、撮像装置付携帯電話機１（以下、単に「携帯電話機」と称する）を挙げて説明する。
【００１４】
本実施の形態に係る携帯電話機１は、図１に示すように、第１筐体２及び第２筐体３がヒンジ結合部４により開閉可能に連結されてなる折畳み式のものである。
【００１５】
図１（ａ）に示すように、第１筐体２の折畳み時に内側になる面（以下、正面という。）には、ＬＣＤ（Ｌｉｑｕｉｄ  Ｃｒｙｓｔａｌ  Ｄｉｓｐｌａｙ）からなる第１表示部５が設けられており、第２筐体３の正面には、撮像及び通信等に関する操作を行う入力部６が配設されている。なお、第１表示部５は、請求項２にいう表示部である。
また、第１筐体２の正面の四隅には、被写体に対して焦点が合うように筐体を保持する突起部７が設けられている。この突起部７は、折畳み時における第１表示部５と入力部６との接触を防止する機能も有する。
【００１６】
図１（ｂ）に示すように、第１筐体２の折り畳み時に外側になる面（以下、背面という。）には、ＬＣＤからなる第２表示部９が設けられており、第２筐体３の背面には、充電パック等の電源制御部１０が設けられている。また、図１（ａ）及び図１（ｂ）に示すように、携帯電話機１の上部にはアンテナ１１が配設されている。
【００１７】
第１筐体２の内部には、レンズ部１９で結像された被写体画像を撮像素子１４により撮像信号に光電変換しデジタル化することによって撮影を行う撮像装置本体１２と、被写体４７と撮像装置本体１２とを近接させて撮像することを可能にする切替え装置２６とから構成される撮像装置８が設けられている（図２及び図３参照）。撮像装置８は、第１筐体２の正面からレンズ部１９が臨むように設けられている。
【００１８】
撮像装置本体１２は、図２に示すように、プリント配線基板１３を有しており、このプリント配線基板１３の上面には、薄板状のＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサからなる撮像素子１４が設けられている。撮像素子１４の上面中央には、多数の画素が２次元的に配列された光電変換部１５が設けられており、この光電変換部１５は、外部接続用端子（図示しない）及びワイヤ１６を介してプリント配線基板１３に接続されている。ワイヤ１６は、プリント配線基板１３上の撮像画像データを出力する回路（図示しない）に接続されている。
【００１９】
撮像素子１４の被写体側には、光電変換部１５に被写体像を結像させる光学部材１７が設けられている。光学部材１７は、脚部１８と、この脚部１８に支持される凸レンズ形状のレンズ部１９とが一体的に形成されたものである。なお、これらの光学部材１７を小型の携帯端末等に内蔵させるには、光軸方向の高さが１５ｍｍ以下であることが好ましい。
【００２０】
光学部材１７は、その側部を、遮光性を有する素材からなる鏡枠２０によって支持されており、この鏡枠２０は、プリント配線基板１３に固定されている。
【００２１】
光学部材１７の脚部１８の上面には、レンズ部１９に入射する光の量を調節する絞り板２１が設けられており、この絞り板２１には、レンズ部１９の絞り値（Ｆ値）を規定する第一の絞りとしての開口２４ａが形成されている。
【００２２】
また、鏡枠２０の上端には、光学部材１７に対応する位置に、第二の絞りとしての開口２４ｂを有する遮光板２３が設けられており、この遮光板２３には、不要な周波数の光を除去するフィルタ２２が支持されている。
【００２３】
なお、遮光板２３とフィルタ２２とは、防塵、防湿のためのカバー部材として機能するようになっている。
【００２４】
また、遮光板２３と光学部材１７との間には、例えば、コイルばねなどの弾性部材により構成された押圧部材２５が配置されている。これにより、遮光板２３から撮像素子１４に向かう力が加わった際、押圧部材２５が弾性変形することにより、その力を吸収する緩衝作用が働くので、その力は直接撮像素子１４には伝達されず、撮像素子１４の破損が防止される。
【００２５】
ここで、この撮像装置本体１２においては、レンズ部１９の特性、撮像側の焦点距離等により、物体側の焦点距離（以下、「第１焦点距離」という）や被写界深度がある程度定まっている。被写界深度は、例えば、数ｍ〜∞であることが好ましい。
【００２６】
切替え装置２６は、図３に示すように、略長方形状の板状部材２７を有しており、この板状部材２７の中央には、円形の孔部２８が設けられている。また、板状部材２７の長手方向であって孔部２８の両側には、近接撮像用光学部材２９が設けられている。近接撮像用光学部材２９としては、クローズアップレンズ、絞り機能を有する絞り板等を採用することができる。
【００２７】
近接撮像用光学部材２９は、撮像装置本体１２と組み合わせることにより、突起部７で第１筐体２を保持させた状態で撮像を行ったときに焦点が合うような物体側の焦点距離（以下、「第２焦点距離」という）を有している。
【００２８】
プリント配線基板１３には、モータ３３が設けられており、このモータには、回動軸３２を介してピニオン３１が接続されている。一方、板状部材２７の長手方向の一側面にはラック３０が設けられており、このラック３０には、ピニオン３１が噛合されている。
【００２９】
また、図４に示すように、第２筐体３の内部には、入力部６、第１表示部５、第２表示部９、撮像装置８、電源制御部１０、無線基地局（図示しない）との間で着信や発信等に係る無線信号の送受信を行う無線通信部３５、送受話部３７を統合制御する制御部３４が内蔵されており、各部はバス３９により接続されている。
【００３０】
制御部３４は、ＣＰＵ（Ｃｅｎｔｒａｌ  Ｐｒｏｃｅｓｓｉｎｇ  Ｕｎｉｔ）４０、書き換え可能な半導体素子で構成されるＲＡＭ（Ｒａｎｄｏｍ  Ａｃｃｅｓｓ  Ｍｅｍｏｒｙ）４１、不揮発性の半導体メモリで構成されるＲＯＭ（Ｒｅａｄ  Ｏｎｌｙ  Ｍｅｍｏｒｙ）４２等から構成されている。
【００３１】
ＲＯＭ４２には、図示しない携帯電話機１の基本動作制御プログラム、通信処理プログラム、表示部に表示するための表示用データ、撮像に関するパラメータデータ（自動撮像用のデフォルトの設定データ、プレビュー撮像用のデフォルトの設定データ）等の他、撮像制御プログラム４３、コード認識プログラム４４、コード認識用データ４５、デコード処理プログラム４６が記憶されている。ここで、コード認識用データ４５は、画像データに情報コードとしての二次元コードが含まれているかを判断するためのコード類似性係数（Ｑ）を設定する際の基準データである。
【００３２】
ＣＰＵ４０は、入力部６から入力される各種指示又は無線通信部３５から入力されるデータに従って、ＲＯＭ４２に記憶されている各種プログラムの中から指定されたプログラムをＲＡＭ４１のワークエリアに展開し、この入力指示及び入力データにより前記プログラムに従って各種処理を実行するようになっている。
【００３３】
具体的に説明すると、ＣＰＵ４０は、ＲＯＭ４２に記憶される撮像制御プログラム４３を読み出して、撮像制御処理を実行するようになっている。
【００３４】
撮像制御処理としては、入力部６から入力されるユーザの撮像指示に従って、第１表示部５の全面を例えば白色等の明るい色にしてバックライトを点灯させた状態にすることが行われる。また、切替え装置２６の孔部２８をレンズ部１９の正面に位置させた状態（通常撮像モード）で、撮像装置８に画像を取り込ませ、これにより取得した画像データをＲＡＭ４１の所定のメモリ等に格納した上で、フレームレート２５ｆｐｓで、第２表示部９にプレビュー表示させることが行われる。
【００３５】
また、ＣＰＵ４０は、コード認識プログラム４４に従って、取得した画像データが二次元コードであるか否かを認識するコード認識処理を実行するようになっている。
【００３６】
ここで、コード認識処理の方法として、例えば、被写体４７の画像データ中から二次元コードであることを示す所定の切り出しシンボルを検出することにより認識する方法、被写体４７の画像データの濃度により認識する方法、二次元コードの所定のモザイク形状を認識する方法等があるが、これらに限定されるものではない。
【００３７】
コード認識処理としては、画像データとコード認識用データ４５とを対照することにより、コード類似性係数を算出し、このコード類似性係数の値（Ｑ）に基づいて、被写体４７が二次元コードであるか否かを判断することが行われる。具体的には、Ｑが「０．５」未満である場合には、被写体４７は二次元コードではないと判断され、Ｑが「０．５」以上であるが「１」ではない場合には、二次元コードの可能性があると判断され、Ｑが「１」である場合には、二次元コードであると判断されるようになっている。
【００３８】
被写体４７が二次元コードでないと判断された場合には、ＣＰＵ４０は、撮像を終了するようになっている。
【００３９】
被写体４７が二次元コードの可能性があると判断された場合には、ＣＰＵ４０は、モータ３３を駆動して板状部材２７を移動させ、近接撮像用光学部材２９をレンズ部１９の正面に位置させるようになっている。そして、近接撮像用光学部材２９をレンズ部１９の正面に位置させた状態（近接撮影モード）で、撮像装置８に画像を取り込ませるようになっている。
【００４０】
また、被写体４７が二次元コードであると判断された場合には、ＣＰＵ４０は、ＲＯＭ４２に記憶されるデコード処理プログラム４６を読み出して、二次元コードのデコード処理をするようになっている。そして、ＣＰＵ４０は、デコード処理により得たコード情報の内容を第２表示部９に表示させるとともに、コード情報に基づく動作を実行するようになっている。
【００４１】
ここで、コード情報の内容としては、例えば、ＵＲＬアドレス、電子メールアドレス等の文字情報や、任意の画像情報等を挙げることができる。また、例えば、コード情報内容が音声情報である場合には、送受話部３７から放音処理を実行させる構成であってもよい。
【００４２】
コード情報に基づく動作の実行としては、例えば、コード情報内容がＵＲＬアドレスである場合には、該ＵＲＬアドレスへの接続処理、コード情報内容が電子メールアドレスである場合には、該電子メールアドレス宛の電子メールの作成指示、コード情報内容が、電話番号、電子メールアドレス等である場合にはアドレス帳等への保存処理、その他、表示部に表示された表示画像の保存処理等があるが、これらに限定されるものではない。
【００４３】
また、ＣＰＵ４０は、無線通信部３５を制御して、無線基地局との間で、アンテナ１１を介して、送受話音声の送受信やデータ通信を実行させるようになっている。
【００４４】
また、ＣＰＵ４０は、送受話部３７を制御して、ユーザの送話音声をＡ／Ｄ変換処理して、その送話音声データをＣＰＵ４０に出力させるとともに、ＣＰＵ４０から入力される受話音声データや、着信音、操作確認音、シャッタ音等の音声データをＤ／Ａ変換処理して出力させるようになっている。
【００４５】
次に、本実施形態の作用について説明する。
【００４６】
ユーザにより、入力部６の所定のボタンが押下されることにより、ＣＰＵ４０は、撮像処理の指示の入力であると判断し、撮像処理の制御を開始する。このとき、ユーザは、撮像装置８を被写体に向けることとする。
【００４７】
まず、ＣＰＵ４０は、第１表示部５の全面を白色等の明るい色にしてバックライトを点灯させた状態にする（ステップＳ１）。
【００４８】
次に、ＣＰＵ４０は、ＲＡＭ４１に格納されている画像データのフレームのカウント数を０（Ｎ＝０）にリセットし（ステップＳ２）、通常撮像モードによる撮像処理の開始指示を撮像装置８に出力する。すると、撮像装置８は、光学部材１７により集光されて撮像素子１４の光電変換部１５に結像された被写体画像データを、順次制御部３４に出力する（ステップＳ３）。
【００４９】
次に、ＣＰＵ４０は、撮像装置８より順次入力される撮像画像データを、ＲＡＭ４１に格納するとともに、この撮像画像をフレームレート２５ｆｐｓで第２表示部９に表示させる（ステップＳ４）。また、ＣＰＵ４０は、プレビュー表示処理の実行と平行して、撮像装置８から入力される画像のフレーム数をカウント（Ｎ＝Ｎ＋１）し（ステップＳ５）、フレーム数が「５」であるかを判断する（ステップＳ６）。
【００５０】
フレーム数が５でないと判断された場合（ステップＳ６：Ｎｏ）には、ＣＰＵ４０は、ステップＳ２〜ステップＳ６を繰り返す。フレーム数が「５」であると判断された場合（ステップＳ６：Ｙｅｓ）には、ＣＰＵ４０は、コード類似性係数（Ｑ）を算出し（ステップＳ７）、コード類似性係数（Ｑ）の値が、「０．５」以上であるか否かを判断する（ステップＳ８）。
【００５１】
Ｑが０．５未満であると判断した場合（ステップＳ８：Ｎｏ）には、二次元コードである可能性が少ないと判断し、撮像を終了する。
【００５２】
Ｑが「０．５」以上であると判断した場合には（ステップＳ８：Ｙｅｓ）、Ｑが「１」であるか否かを判断し（ステップＳ９）、「１」でないと判断した場合（ステップＳ：Ｎｏ）には、撮影モードを通常撮像モードから近接撮像モードに切り替える（ステップＳ１０）。そして、ＣＰＵ４０は、ＲＡＭ４１に格納されている画像データのフレームのカウント数を０（Ｎ＝０）にリセットし（ステップＳ２）、撮像装置８は、近接撮像用光学部材２９及び光学部材１７により画像を取り込む（ステップＳ３）。以降、ステップＳ４〜ステップＳ９が実行される。
【００５３】
一方、コード類似性係数（Ｑ）が、「１」であると判断した場合には（ステップＳ９：Ｙｅｓ）、ＣＰＵ４０は、被写体４７が二次元コードであると認識し、二次元コードのデコード処理を実行して（ステップＳ１１）、その二次元コードのコード情報内容を第２表示部９に表示させる（ステップＳ１２）。
【００５４】
次いで、ＣＰＵ４０は、ユーザにより入力部６から、コード情報内容に対する所定の処理の指示信号が入力されたか否かを判断し（ステップＳ１３）、指示信号が入力されたと判断した場合には（ステップＳ１３：Ｙｅｓ）、該指示に応じた処理を実行する（ステップＳ１４）。
【００５５】
ここで、図６に示すように、被写体４７が付された記録媒体４８の表面に突起部７を接触させ、突起部７で第１筐体２を保持させた状態で、撮像装置８を被写体４７に向け、撮像を行う場合について説明する。
【００５６】
ステップＳ３においては、撮像装置８により、通常撮像モードで画像が取り込まれるが、このとき、第１表示部５が点灯した状態となっているため、記録媒体４８の表面に突起部７を接触させた状態であっても、被写体４７に光が照射された状態で画像の取り込みが行われる。
【００５７】
また、ステップＳ７〜ステップＳ９においては、ＣＰＵ４０は、被写体４７が二次元コードであるか否かを判断する。ここでは、撮像モードが通常モードであるから、第１焦点距離で撮像が行わなわれてしまうが、被写体４７が付された記録媒体４８の表面に突起部７を接触させた状態で撮像が行われているため、焦点が合っていない。したがって、ＣＰＵ４０は、被写体４７が二次元コードであると判断できない。
【００５８】
したがって、ステップＳ１０に移行し、近接撮像モードで画像が取り込まれることとなるが（ステップＳ３）、このときも、第１表示部５が点灯した状態となっているため、記録媒体４８の表面に突起部７を接触させた状態であっても、被写体４７に光が照射された状態で画像の取り込みが行われる。また、ここでは、撮像モードが近接撮像モードであるから、第２焦点距離で撮像が行われ、被写体４７が付された記録媒体４８の表面に突起部７を接触させた状態で撮像が行われているため、必ず焦点が合った状態で撮像が行われる。したがって、ステップＳ７〜ステップＳ９において、被写体４７が二次元コードであるか否かの判断が可能であり、被写体４７が二次元コードでないと判断された場合には（ステップＳ８：ＮＯ）、撮像を終了し、二次元コードであると判断された場合には（ステップＳ９：ＹＥＳ）、デコード処理に移行する（ステップＳ１１）。
【００５９】
以上より、本実施形態によれば、近接撮像モードでは、被写体４７が付された記録媒体４８の表面に突起部７を接触させ、突起部７で第１筐体２を保持させた状態で撮像を行えば、必ず焦点が合った状態で撮像が行われるため、鮮明な画像を得ることができる。したがって、被写体４７が二次元コードであるか否かの判断も可能である。
【００６０】
また、被写体４７が存在する面に突起部７を接触させて、突起部７で第１筐体２を保持させた状態で撮像するため、手ぶれが生じず、容易に撮像を行うことができる。
【００６１】
さらに、被写体４７に表示部から光が照射された状態で撮像が行われるため、記録媒体４８の表面に突起部７を接触させた状態で撮像する場合であっても、鮮明な画像を得ることができる。
【００６２】
なお、本実施形態においては、突起部として、折畳み時に第１表示部５と入力部６とが接触することを防止する突起部７を用いたが、これに限るものではない。たとえば、携帯電話機１が折畳み式でない場合等は、別途、突起部を設けるようにする。
【００６３】
また、本実施形態においては、第１筐体２の正面からレンズ部１９が臨むように撮像装置８を設けたが、第１筐体２の背面からレンズ部１９が臨むように設けてもよい。この場合、突起部７を第１筐体２の背面に設けるようにするとともに、撮像を行う際には、第２表示部９を点灯させるようにするとよい。
【００６４】
また、本発明の携帯端末は、本実施の形態で挙げた携帯電話機１に限定されず、ＰＨＳ、ＰＤＡ等であってもよい。
【００６５】
【発明の効果】
請求項１に記載の発明によれば、突起部で筐体を保持させて撮像することにより、必ず焦点が合った状態で撮像を行うことができ、鮮明な画像を得ることができる。また、突起部で筐体を保持させて撮像するため、手ぶれが生じず、容易に撮像を行うことができる。
【００６６】
請求項２に記載の発明によれば、被写体に表示部から光が照射された状態で撮像が行われるため、より鮮明な画像を得ることができる。
【図面の簡単な説明】
【図１】本発明の実施の形態に係る携帯電話機の外観構成を示す図である。
【図２】図１に示した携帯電話機に備えられる撮像装置の断面図である。
【図３】（ａ）は、図１に示した携帯電話機に備えられる切替え装置を説明するための斜視図であり、（ｂ）は、平面図（上から見た図）である。
【図４】図１に示した携帯電話機の構成を示すブロック図である。
【図５】図１に示した携帯電話機における撮像制御処理を説明するためのフローチャートである。
【図６】図１に示した携帯電話機における近接撮像モードで撮像する際の使用状態を示す図である。
【符号の説明】
５    第１表示部（表示部）
７    突起部
８    撮像装置
９    第２表示部
３４  制御部
【図１】
2004271978.tif 000003
【図２】
2004271978.tif 000004
【図３】
2004271978.tif 000005
【図４】
2004271978.tif 000006
【図５】
2004271978.tif 000007
【図６】
2004271978.tif 000008